【手続補正書】
【提出日】平成18年1月12日(2006.1.12)
【手続補正１】
【補正対象書類名】明細書
【補正対象項目名】発明の名称
【補正方法】変更
【補正の内容】
【発明の名称】インクジェット記録装置及び画像形成装置、ヘッド駆動制御装置及びヘッド駆動制御方法並びにインクジェットヘッド
【手続補正２】
【補正対象書類名】明細書
【補正対象項目名】特許請求の範囲
【補正方法】変更
【補正の内容】
【特許請求の範囲】
【請求項１】
インク滴を吐出するノズルと、このノズルが連通するインク流路と、このインク流路の一部の壁面を形成する振動板と、この振動板に対向する電極とを有し、前記振動板を静電気力により変形させて前記ノズルからインク滴を吐出させるインクジェットヘッドを搭載したインクジェット記録装置において、前記インクジェットヘッドに対して前記ノズルからインク滴を吐出させる第１駆動信号と、この第１駆動信号から所定時間経過後に前記振動板の変位を抑制する第２駆動信号を印加する手段を備えていることを特徴とするインクジェット記録装置。
【請求項２】
請求項１に記載のインクジェット記録装置において、前記第２駆動信号を前記電極に印加することを特徴とするインクジェット記録装置。
【請求項３】
請求項１に記載のインクジェット記録装置において、前記第２駆動信号を前記電極とは電気的に分離され、前記振動板に対向する第３電極に印加することを特徴とするインクジェット記録装置。
【請求項４】
請求項１に記載のインクジェット記録装置において、前記第２駆動信号を前記電極を設けた基板に印加することを特徴とするインクジェット記録装置。
【請求項５】
請求項１乃至４のいずれかに記載のインクジェット記録装置において、前記第２駆動信号は前記振動板が平衡位置を通過するタイミングから前記電極から最も離れるタイミングの間のいずれかのタイミングで印加することを特徴とするインクジェット記録装置。
【請求項６】
請求項１乃至５のいずれかに記載のインクジェット記録装置において、前記振動板が前記電極に当接する前のタイミングで前記第２駆動信号の印加を停止することを特徴とするインクジェット記録装置。
【請求項７】
請求項６に記載のインクジェット記録装置において、前記振動板が平衡位置を前記電極の方向に通過する前に前記第２駆動信号の印加を停止することを特徴とするインクジェット記録装置。
【請求項８】
請求項１乃至７のいずれかに記載のインクジェット記録装置において、前記第２駆動信号は矩形状パルスであることを特徴とするインクジェット記録装置。
【請求項９】
請求項１乃至７のいずれかに記載のインクジェット記録装置において、前記第２駆動信号の立下り変化速度は第１駆動信号の立下り変化速度よりも緩やかであることを特徴とするインクジェット記録装置。
【請求項１０】
請求項１乃至９のいずれかに記載のインクジェット記録装置において、前記第２駆動信号の波高値が前記第１駆動信号の波高値よりも高いことを特徴とするインクジェット記録装置。
【請求項１１】
請求項１乃至１０のいずれかに記載のインクジェット記録装置において、前記第２駆動信号の波高値を変化できることを特徴とするインクジェット記録装置。
【請求項１２】
請求項１乃至１１のいずれかに記載のインクジェット記録装置において、前記第２駆動信号は、前記第１駆動信号及び第２駆動信号の波高値が略同一としたとき、第２駆動信号を印加したときのインク滴最後尾の速度が第１駆動信号のみを印加したときのインク滴最後尾の速度と略同一になるタイミングで印加することを特徴とするインクジェット記録装置。
【請求項１３】
請求項１乃至１２のいずれかに記載のインクジェット記録装置において、前記第２駆動信号の印加時間は、インク滴のパルス幅特性のピーク時間に対して１／４以上３／４未満の時間であることを特徴とするインクジェット記録装置。
【請求項１４】
請求項１乃至１３のいずれかに記載のインクジェット記録装置において、前記第１駆動信号及び第２駆動信号を印加する場合と、第１駆動信号のみを印加する場合とを選択できることを特徴とするインクジェット記録装置。
【請求項１５】
請求項１乃至１４のいずれかに記載のインクジェット記録装置において、前記第１駆動信号及び第２駆動信号を印加する場合の第１駆動信号の波高値が第１駆動信号のみを印加する場合の第１駆動信号の第１波高値よりも小さいことを特徴とするインクジェット記録装置。
【請求項１６】
請求項１乃至１５のいずれかに記載のインクジェット記録装置において、前記第２駆動信号は第１駆動信号に対して逆極性の信号であることを特徴とするインクジェット記録装置。
【請求項１７】
請求項１乃至１５のいずれかに記載のインクジェット記録装置において、駆動周期又は所定回数毎に前記第１駆動信号及び第２駆動信号の両方の極性を反転させることを特徴とするインクジェット記録装置。
【請求項１８】
インク滴を吐出するノズルと、このノズルが連通するインク流路と、このインク流路の一部の壁面を形成する振動板と、この振動板に対向する電極とを有し、前記振動板を静電気力により変形させて前記ノズルからインク滴を吐出させるインクジェットヘッドを駆動制御するヘッド駆動制御装置において、前記ノズルからインク滴を吐出させる第１駆動信号と、この第１駆動信号から所定時間経過後に前記振動板の変位を抑制する第２駆動信号とを生成する手段を備えていることを特徴とするヘッド駆動制御装置。
【請求項１９】
請求項１８に記載のヘッド駆動制御装置において、前記第１駆動信号と第２駆動信号とを時系列で生成する手段を備えていることを特徴とするヘッド駆動制御装置。
【請求項２０】
請求項１８又は１９に記載のヘッド駆動制御装置において、前記第１駆動信号から第２駆動信号までの所定時間は、前記インクジェットヘッドに印加したときに振動板が平衡位置を通過するタイミングから電極から最も離れるタイミングの間に含まれる時間であることを特徴とするヘッド駆動制御装置。
【請求項２１】
請求項１８乃至２０のいずれかに記載のヘッド駆動制御装置において、前記第２駆動信号は、前記インクジェットヘッドに印加したときに振動板が平衡位置を電極の方向に通過する前に立ち下がる信号であることを特徴とするヘッド駆動制御装置。
【請求項２２】
請求項１８乃至２１のいずれかに記載のヘッド駆動制御装置において、前記第１駆動信号及び第２駆動信号は矩形状パルス信号であることを特徴とするヘッド駆動制御装置。
【請求項２３】
請求項１８乃至２２のいずれかに記載のヘッド駆動制御装置において、前記第２駆動信号の波高値は前記第１駆動信号の波高値よりも高いことを特徴とするヘッド駆動制御装置。
【請求項２４】
請求項１８乃至２３のいずれかに記載のヘッド駆動制御装置において、前記第２駆動信号は第１駆動信号に対して逆極性の信号であることを特徴とするヘッド駆動制御装置。
【請求項２５】
請求項１８乃至２３のいずれかに記載のヘッド駆動制御装置において、駆動周期又は所定回数毎に前記第１駆動信号及び第２駆動信号の両方の極性が反転することを特徴とするヘッド駆動制御装置。
【請求項２６】
インク滴を吐出するノズルと、このノズルが連通するインク流路と、このインク流路の一部の壁面を形成する振動板と、この振動板に対向する電極とを有し、前記振動板を静電気力により変形させて前記ノズルからインク滴を吐出させるインクジェットヘッドを駆動制御するヘッド駆動制御方法において、前記ノズルからインク滴を吐出させる第１駆動信号を印加した後所定時間経過後に前記振動板の変位を抑制する第２駆動信号を印加することを特徴とするヘッド駆動制御方法。
【請求項２７】
請求項２６に記載のヘッド駆動制御方法において、前記第１駆動信号を印加した後、この第１駆動信号で変形した振動板が平衡位置を通過するタイミングから電極から最も離れるタイミングまでの間に前記第２駆動信号を印加することを特徴とするヘッド駆動制御方法。
【請求項２８】
請求項２６又は２７に記載のヘッド駆動制御装置において、前記第２駆動信号を印加した後、前記第１駆動信号で変形した振動板が平衡位置を電極の方向に通過する前に前記第２駆動信号の印加を停止することを特徴とするヘッド駆動制御方法。
【請求項２９】
請求項２６乃至２８のいずれかに記載のヘッド駆動制御方法において、前記第１駆動信号及び第２駆動信号は矩形状パルス信号であることを特徴とするヘッド駆動制御方法。
【請求項３０】
請求項２６乃至２９のいずれかに記載のヘッド駆動制御方法において、前記第２駆動信号の波高値は前記第１駆動信号の波高値よりも高いことを特徴とするヘッド駆動制御方法。
【請求項３１】
請求項２６乃至３０のいずれかに記載のヘッド駆動制御方法において、前記第２駆動信号の波高値を記録画像に応じて変化させることを特徴とするヘッド駆動制御方法。
【請求項３２】
インク滴を吐出するノズルと、このノズルが連通するインク流路と、このインク流路の一部の壁面を形成する振動板と、この振動板に対向する電極とを有し、前記振動板を静電気力により変形させて前記ノズルからインク滴を吐出させるインクジェットヘッドを搭載したインクジェット記録装置において、前記インクジェットヘッドに対して前記振動板を前記電極側に当接させる第１駆動信号を印加し、この第１駆動信号の印加を停止することで復元する前記振動板が平衡位置に達する前に前記第１駆動信号よりも波高値の高い第２駆動信号を印加する手段を備えていることを特徴とするインクジェット記録装置。
【請求項３３】
請求項３２に記載のインクジェット記録装置において、前記第２駆動信号の印加開始タイミングを変化させる手段を備えていることを特徴とするインクジェット記録装置。
【請求項３４】
インク滴を吐出するノズルと、このノズルが連通するインク流路と、このインク流路の一部の壁面を形成する振動板と、この振動板に対向する電極とを有し、前記振動板を静電気力により変形させて前記ノズルからインク滴を吐出させるインクジェットヘッドを駆動制御するヘッド駆動制御装置において、前記インクジェットヘッドの振動板を前記電極側に当接させる第１駆動信号と、この第１駆動信号の印加を停止することで復元する前記振動板が平衡位置に達する前に出力される前記第１駆動信号よりも波高値の高い第２駆動信号とを生成する手段を備えていることを特徴とするヘッド駆動制御装置。
【請求項３５】
インク滴を吐出するノズルと、このノズルが連通するインク流路と、このインク流路の一部の壁面を形成する振動板と、この振動板に対向する電極とを有し、前記振動板を静電気力により変形させて前記ノズルからインク滴を吐出させるインクジェットヘッドにおいて、前記ノズルからインク滴を吐出させる第１駆動信号が印加される手段とは別に、前記第１駆動信号から所定時間経過後に前記振動板の変位を抑制する第２駆動信号が印加される第３電極を有することを特徴とするインクジェットヘッド。
【請求項３６】
請求項３５に記載のインクジェットヘッドにおいて、前記第３電極は前記電極を設ける電極基板であることを特徴とするインクジェットヘッド。
【請求項３７】
請求項３６に記載のインクジェットヘッドにおいて、前記第３電極は前記ノズル周辺に対応する部分でのみ前記振動板に対向していることを特徴とするインクジェットヘッド。
【請求項３８】
インク滴を吐出するノズルと、このノズルが連通するインク流路と、このインク流路の一部の壁面を形成する振動板と、この振動板に対向する電極とを有し、前記振動板を静電気力により変形させて前記ノズルからインク滴を吐出させるインクジェットヘッドを搭載した画像形成装置において、前記インクジェットヘッドに対して前記ノズルからインク滴を吐出させる第１駆動信号と、この第１駆動信号から所定時間経過後に前記振動板の変位を抑制する第２駆動信号を印加する手段を備えていることを特徴とする画像形成装置。
【請求項３９】
インク滴を吐出するノズルと、このノズルが連通するインク流路と、このインク流路の一部の壁面を形成する振動板と、この振動板に対向する電極とを有し、前記振動板を静電気力により変形させて前記ノズルからインク滴を吐出させるインクジェットヘッドを搭載した画像形成装置において、前記インクジェットヘッドに対して前記振動板を前記電極側に当接させる第１駆動信号を印加し、この第１駆動信号の印加を停止することで復元する前記振動板が平衡位置に達する前に前記第１駆動信号よりも波高値の高い第２駆動信号を印加する手段を備えていることを特徴とする画像形成装置。
【手続補正３】
【補正対象書類名】明細書
【補正対象項目名】０００１
【補正方法】変更
【補正の内容】
【０００１】
【産業上の利用分野】
本発明はインクジェット記録装置及び画像形成装置、ヘッド駆動制御装置及びヘッド駆動制御方法並びにインクジェットヘッドに関する
【手続補正４】
【補正対象書類名】明細書
【補正対象項目名】００１３
【補正方法】変更
【補正の内容】
【００１３】
本発明は上記の課題に鑑みてなされたものであり、単純な構成で微小滴を吐出できるインクジェット記録装置及び画像形成装置、単純な構成で微小滴を吐出させることができるヘッド駆動制御装置及びヘッド駆動制御方法、単純な構成で微小滴を吐出させることが可能なインクジェットヘッドを提供することを目的とする。
【手続補正５】
【補正対象書類名】明細書
【補正対象項目名】００１４
【補正方法】変更
【補正の内容】
【００１４】
【課題を解決するための手段】
上記の課題を解決するため、本発明に係るインクジェット記録装置及び画像形成装置は、インクジェットヘッドに対してノズルからインク滴を吐出させる第１駆動信号と、この第１駆動信号から所定時間経過後に振動板の変位を抑制する第２駆動信号を印加する手段を備えた構成としたものである。
【手続補正６】
【補正対象書類名】明細書
【補正対象項目名】００２８
【補正方法】変更
【補正の内容】
【００２８】
本発明に係るインクジェット記録装置及び画像形成装置は、インクジェットヘッドに対して振動板を電極側に当接させる第１駆動信号を印加し、この第１駆動信号の印加を停止することで復元する振動板が平衡位置に達する前に第１駆動信号よりも波高値の高い第２駆動信号を印加する手段を備えている構成としたものである。
【手続補正７】
【補正対象書類名】明細書
【補正対象項目名】００３３
【補正方法】変更
【補正の内容】
【００３３】
【発明の実施の形態】
以下、本発明の実施の形態を添付図面を参照して説明する。図１は本発明に係る画像形成装置としてのインクジェット記録装置の機構部の概略斜視説明図、図２は同機構部の側面説明図である。
【手続補正８】
【補正対象書類名】明細書
【補正対象項目名】０１７０
【補正方法】変更
【補正の内容】
【０１７０】
また、本発明で駆動制御するインクジェットヘッドは流路基板中に形成したノズル、加圧室、流体抵抗部、共通流路液室の形状、配置、形成方法は適切に変更することができる。例えば、上記実施形態においては、ノズルは振動板の変位方向にインク滴が吐出するように形成したサイドシュータ方式のインクジェットヘッドであるが、ノズルを振動板の変位方向と交差する方向にインク滴が吐出するように形成したエッジシュータ方式のインクジェットヘッドでもよい。また、前述したようにプリンタ、ファクシミリ、プロッタ等の画像形成装置及び液滴を吐出する装置にも本発明を適用することができる。
【手続補正９】
【補正対象書類名】明細書
【補正対象項目名】０１７１
【補正方法】変更
【補正の内容】
【０１７１】
【発明の効果】
以上説明したように、本発明に係るインクジェット記録装置及び画像形成装置によれば、インクジェットヘッドに対してノズルからインク滴を吐出させる第１駆動信号と、この第１駆動信号から所定時間経過後に振動板の変位を抑制する第２駆動信号を印加する手段を備えているので、微小インク滴を吐出することが可能になる。
【手続補正１０】
【補正対象書類名】明細書
【補正対象項目名】０１８８
【補正方法】変更
【補正の内容】
【０１８８】
本発明に係るインクジェット記録装置及び画像形成装置によれば、インクジェットヘッドに対して振動板を電極側に当接させる第１駆動信号を印加し、この第１駆動信号の印加を停止することで復元する振動板が平衡位置に達する前に第１駆動信号よりも波高値の高い第２駆動信号を印加する手段を備えることで、より小さな微小滴を吐出することができる。